(57)【要約】  【課題】  赤外光撮像によりスルー画を撮像する場合であっても白キズの少ない静止画を得ることができるようにすること。  【解決手段】  輝度判定部６０は、被写体の明るさを検出して該被写体が低照度の状態か否かを判定する。メイン制御部６２は、被写体が低照度の場合、可視光撮像用のＣＣＤ３２を停止させるとともに、赤外光撮像用のＣＣＤ３６を動作させて、スルー画をモニタ５４に表示させる。あるいは、メイン制御部６２は、被写体が低照度の場合、赤外光撮像用のＣＣＤ３６及び可視光撮像用のＣＣＤ３２を交互に繰り返し動作させて、赤外光撮像用のＣＣＤ３６で撮像して得られた輝度信号と可視光撮像用のＣＣＤ３２で撮像して得られた色差信号とを合成することにより得られたスルー画をモニタ５４に表示させる。【選択図】  図１
2006013884.tif 000002
【特許請求の範囲】
【請求項１】
被写体を連続的に撮像したスルー画を静止画の撮影前に予め表示可能なカメラにおいて、
赤外光に感度を有する赤外光撮像手段と、
赤外光に感度を有しない可視光撮像手段と、
被写体の明るさを検出して該被写体が低照度の状態か否かを判定する判定手段と、
被写体が低照度の場合、スルー画の表示時には前記可視光撮像手段を停止させるとともに前記赤外光撮像手段を動作させる一方で、静止画の撮影時には前記赤外光撮像手段を停止させるとともに前記可視光撮像手段を動作させる制御手段と、
前記赤外光撮像手段により得られたスルー画を表示する表示手段と、
を備えたことを特徴とするカメラ。
【請求項２】
被写体を連続的に撮像したスルー画を静止画の撮影前に予め表示可能なカメラにおいて、
赤外光に感度を有する赤外光撮像手段と、
赤外光に感度を有しない可視光撮像手段と、
可視光を発光する可視光源と、
被写体が低照度の場合、スルー画の表示時には前記赤外光撮像手段及び前記可視光撮像手段を交互に繰り返し動作させるとともに該可視光撮像手段の露光期間に前記可視光源を発光させる一方で、静止画の撮影時には前記赤外光撮像手段を停止させるとともに前記可視光源を発光させて前記可視光撮像手段を動作させる制御手段と、
前記被写体が低照度の場合のスルー画の表示時に、前記赤外光撮像手段で撮像して得られた輝度信号と前記可視光撮像手段で撮像して得られた色差信号とを合成してスルー画を生成する信号処理手段と、
生成されたスルー画を表示する表示手段と、
を備えたことを特徴とするカメラ。
【請求項３】
前記被写体が低照度の場合のスルー画の表示時に、前記可視光撮像手段で得られた輝度信号に基づいて少なくとも露光調整及び焦点位置調整の何れか一方を行う調整手段を更に備えたことを特徴とする請求項２に記載のカメラ。
【請求項４】
前記制御手段は、前記被写体が低照度の場合のスルー画の表示時に、前記可視光撮像手段の露光期間と前記赤外光撮像手段の露光期間とを等間隔にして前記赤外光撮像手段及び前記可視光撮像手段を交互に動作させることを特徴とする請求項２又は３に記載のカメラ。
【請求項５】
前記制御手段は、前記被写体が低照度の場合のスルー画の表示時に、前記可視光撮像手段の露光期間を前記赤外光撮像手段の露光期間の１／ｎにして前記赤外光撮像手段及び前記可視光撮像手段を交互に動作させることを特徴とする請求項２又は３に記載のカメラ。
【請求項６】
可視光として閃光を発光するフラッシュと、
前記閃光より光度の低い可視光を発光可能な補助光源と、を備え、
前記制御手段は、被写体が低照度の場合、スルー画の撮影時には前記可視光撮像手段の露光期間に前記補助光源を発光させ、静止画の撮影時には前記フラッシュを発光させることを特徴とする請求項２乃至５の何れかに記載のカメラ。
【発明の詳細な説明】
【技術分野】
【０００１】
本発明はカメラに係り、特に静止画の撮影前にスルー画を表示可能なカメラに関する。
【背景技術】
【０００２】
従来、被写体が低照度の場合、赤外光撮像により被写体を撮像してスルー画を表示するようにしたものが知られている。
【０００３】
例えば、特許文献１に記載されたものは、低照度撮影モードがユーザによって設定された場合、シャッタボタンが半押しされると、赤外光除去フィルタを光路外に退避させて被写体に赤外光を照射し、ＣＣＤ（Charge Coupled Device）により被写体を連続的に撮像して表示する。一方で、シャッタボタンが全押しされると、赤外光除去フィルタを光路内に挿入して被写体に可視光の閃光を照射し、同一のＣＣＤにより被写体の静止画を撮像するようになっている。
【特許文献１】特開２００３−５７５３２号公報
【発明の開示】
【発明が解決しようとする課題】
【０００４】
しかし、同一のＣＣＤを長時間駆動しているとＣＣＤの温度上昇により白キズを持った静止画が記録されることになる。
【０００５】
特許文献１に記載されたものは、赤外光撮像でスルー画を表示させた場合、そのスルー画の撮像のために駆動されたＣＣＤが静止画の撮影にも用いられるので、ユーザが低照度撮影モードを設定して長時間スルー画を表示させるような使い方をすると、ＣＣＤの温度上昇により白キズを持った静止画を出力しやすいことになる。
【０００６】
本発明はこのような事情に鑑みてなされたもので、赤外光撮像によりスルー画を撮像する場合であっても白キズの少ない静止画を得ることができるカメラを提供することを目的とする。
【課題を解決するための手段】
【０００７】
前記目的を達成するために、請求項１に記載の発明は、被写体を連続的に撮像したスルー画を静止画の撮影前に予め表示可能なカメラにおいて、赤外光に感度を有する赤外光撮像手段と、赤外光に感度を有しない可視光撮像手段と、被写体の明るさを検出して該被写体が低照度の状態か否かを判定する判定手段と、被写体が低照度の場合、スルー画の表示時には前記可視光撮像手段を停止させるとともに前記赤外光撮像手段を動作させる一方で、静止画の撮影時には前記赤外光撮像手段を停止させるとともに前記可視光撮像手段を動作させる制御手段と、前記赤外光撮像手段により得られたスルー画を表示する表示手段を備えた構成となっている。
【０００８】
この構成によって、被写体が低照度であるか否かが判定されて、被写体が低照度の場合、スルー画の表示時には可視光撮像手段が停止して赤外光撮像手段が動作し、静止画の撮影時には赤外光撮像手段が停止して可視光撮像手段が動作するので、静止画の撮影に用いる可視光撮像手段が長時間連続動作することがなく、赤外光撮像でスルー画を長時間表示させる場合であっても白キズの少ない静止画を得ることができる。
【０００９】
請求項２に記載の発明は、被写体を連続的に撮像したスルー画を静止画の撮影前に予め表示可能なカメラにおいて、赤外光に感度を有する赤外光撮像手段と、赤外光に感度を有しない可視光撮像手段と、可視光を発光する可視光源と、被写体が低照度の場合、スルー画の表示時には前記赤外光撮像手段及び前記可視光撮像手段を交互に繰り返し動作させるとともに該可視光撮像手段の露光期間に前記可視光源を発光させる一方で、静止画の撮影時には前記赤外光撮像手段を停止させるとともに前記可視光源を発光させて前記可視光撮像手段を動作させる制御手段と、前記被写体が低照度の場合のスルー画の表示時に、前記赤外光撮像手段で撮像して得られた輝度信号と前記可視光撮像手段で撮像して得られた色差信号とを合成してスルー画を生成する信号処理手段と、生成されたスルー画を表示する表示手段を備えた構成となっている。
【００１０】
この構成によって、被写体が低照度の場合のスルー画の表示時に可視光撮像手段が間欠的に動作するので、静止画の撮影に用いる可視光撮像手段が長時間連続動作することがなく、赤外光撮像でスルー画を長時間表示させる場合であっても白キズの少ない静止画を得ることができる。しかも、被写体が低照度の場合のスルー画の表示時に、赤外光撮像手段で撮像して得られた輝度信号と前記可視光撮像手段で撮像して得られた色差信号とが合成されてスルー画が生成されるので、カラーのスルー画が表示されることになる。
【００１１】
請求項３に記載の発明は、請求項２に記載の発明において、前記被写体が低照度の場合のスルー画の表示時に、前記可視光撮像手段で得られた輝度信号に基づいて少なくとも露光調整及び焦点位置調整の何れか一方を行う調整手段を更に備えた構成となっている。
【００１２】
この構成によって、スルー画の表示時に可視光撮像手段が間欠的に動作している間に露光又は焦点位置が調節されることになる。
【００１３】
請求項４に記載の発明は、請求項２又は３に記載の発明において、前記制御手段は、前記被写体が低照度の場合のスルー画の表示時に、前記可視光撮像手段の露光期間と前記赤外光撮像手段の露光期間とを等間隔にして前記赤外光撮像手段及び前記可視光撮像手段を交互に動作させる構成となっている。
【００１４】
被写体が低照度の場合のスルー画表示時の可視光源としては、例えば白色発光ダイオードを用いる。
【００１５】
請求項５に記載の発明は、請求項２又は３に記載の発明において、前記制御手段は、前記被写体が低照度の場合のスルー画の表示時に、前記可視光撮像手段の露光期間を前記赤外光撮像手段の露光期間の１／ｎにして前記赤外光撮像手段及び前記可視光撮像手段を交互に動作させる構成となっている。
【００１６】
被写体が低照度の場合のスルー画表示時の可視光源としては、フラッシュのように閃光を発光する可視光源を用いることができ、色の再現性の良いスルー画を表示することができる。
【００１７】
請求項６に記載の発明は、請求項２乃至５の何れかに記載の発明において、可視光として閃光を発光するフラッシュと、前記閃光より光度の低い可視光を発光可能な補助光源と、を備え、前記制御手段は、前記被写体が低照度の場合、前記スルー画の表示時には前記補助光源を前記第２の期間に発光させ、前記静止画の撮影時には前記フラッシュを発光させる構成となっている。
【００１８】
この構成によって、スルー画の表示時には低消費電力の補助光源を用いて電力消費を抑えることができる一方で、鮮明な静止画を得ることができる。
【発明の効果】
【００１９】
本発明によれば、赤外光撮像によりスルー画を撮像する場合であっても白キズの少ない静止画を得ることができる。
【発明を実施するための最良の形態】
【００２０】
以下、添付図面に従って、本発明を実施するための最良の形態について詳細に説明する。
【００２１】
図１は、本発明を適用したカメラの要部ブロック図である。
【００２２】
図１において、カメラ１は、主として、フラッシュ１２、フラッシュ駆動部１４、補助光源１６、補助光源駆動部１８、赤外光源２０、赤外光源駆動部２２、光学系２４、ＡＥ・ＡＦ調整部２６、ハーフミラー２８、赤外光除去フィルタ３０、第１のＣＣＤ３２、赤外光透過フィルタ３４、第２のＣＣＤ３６、第１のＣＣＤ駆動部３８、第２のＣＣＤ駆動部４０、第１のＡ／Ｄ変換器４２、第２のＡ／Ｄ変換器４４、第１のガンマ回路４６、第２のガンマ回路４８、信号処理部５０、フレームメモリ５２、記録部５４、モニタ５６、レリーズボタン５８、輝度判定部６０、メイン制御部６２、光学ファインダ６４、によって構成されている。
【００２３】
フラッシュ１２は、キセノンガスの放電を用いて、可視光の閃光を発光するものである。補助光源１６は、白色発光ダイオードからなり、フラッシュの閃光よりも光度が低いが略一定光量の可視光を連続的に発光可能である。赤外光源２０は、略一定光量の赤外光を連続的に発光可能である。これらのフラッシュ１２、補助光源１６、赤外光源２０は、それぞれ、フラッシュ駆動部１４、補助光源駆動部１８、赤外光源駆動部２２によって電気的に駆動される。
【００２４】
光学系２４は、複数の光学レンズ及びアイリスを有する。光学系２４に入射された被写体の反射光は、ハーフミラー２８によって２分され、一方は赤外光除去フィルタ３０により赤外光成分が除去されて可視光成分が第１のＣＣＤ３２（以下「可視光撮像用のＣＣＤ」ともいう）に入射し、他方は赤外光透過フィルタ３４により赤外光成分が透過されてその赤外光成分が第２のＣＣＤ（以下「赤外光撮像用のＣＣＤ」ともいう）に入射する。例えば、赤外光除去フィルタ３０は約７００ｎｍより長い波長の光を遮断する特性を有し、赤外光透過フィルタ３４は約７００ｎｍより長い波長の光を透過する特性を有する。
【００２５】
可視光撮像用のＣＣＤ３２及び赤外光撮像用のＣＣＤ３６は、被写体の反射光の赤外光成分及び可視光成分の何れが入射されるかが異なる一方で、解像度は同じである。
【００２６】
第１のＣＣＤ駆動部３８は、可視光撮像用のＣＣＤ３２の露光期間の制御や画像信号の読み出しを行う。第２のＣＣＤ駆動部４０は、赤外光撮像用のＣＣＤ３６の露光期間の制御や画像信号の読み出しを行う。
【００２７】
可視光撮像用のＣＣＤ３２から読み出された画像信号は、出力された可視光成分の画像信号は、第１のＡ／Ｄ変換器４２によってアナログからデジタルに変換され、第１のガンマ回路４６によって非線形処理が施されて、信号処理部５０を介して、フレームメモリ５２に入力される。また、赤外光撮像用のＣＣＤ３６から出力された赤外光成分の画像信号は、第２のＡ／Ｄ変換器４４によってアナログからデジタルに変換され、第２のガンマ回路４８によって非線形処理が施されて、信号処理部５０を介して、フレームメモリ５２に入力される。
【００２８】
信号処理部５０は、可視光撮像用のＣＣＤ３２及び赤外光撮像用のＣＣＤ３６で撮像して得られた画像信号に対して各種の信号処理を施すものである。
【００２９】
ＣＣＤ３２、３６が出力する画像信号は、実際にはＲ（赤），Ｇ（緑）、Ｂ（青）の各色別の信号（ＲＧＢ信号）であり、信号処理部５０は、可視光撮像用のＣＣＤ３２が駆動されたときには、可視光撮像用のＣＣＤ３２が出力したＲＧＢ信号を可視光成分の輝度信号（Ｙ信号）及び色差信号（Ｃ信号）に変換し、赤外光撮像用のＣＣＤ３６が駆動されたときには、赤外光撮像用のＣＣＤ３６が出力したＲＧＢ信号に基づいて赤外光成分の輝度信号（Ｙ信号）を求めて出力する。
【００３０】
また、信号処理部５０は、可視光撮像用のＣＣＤ３２と赤外光撮像用のＣＣＤ４０が交互に繰り返して駆動される場合には、赤外光撮像用ＣＣＤ３６で撮像して得られた赤外光成分の輝度信号（Ｙ信号）と可視光撮像用のＣＣＤ３２で撮像して得られた可視光成分の色差信号（Ｃ信号）とを合成する機能を有している。
【００３１】
ＡＥ・ＡＦ調整部２６は、可視光撮像用のＣＣＤ３２で撮像して得られた可視光成分の輝度信号（Ｙ信号）に基づいて、ＡＥ（自動露光調整）及びＡＦ（自動焦点位置合わせ）を行う。
【００３２】
記録部５４は、可視光撮像用のＣＣＤ３２で撮像して得られた静止画をメモリカードなどの所定の記録媒体に記録するものである。
【００３３】
モニタ５６は、静止画の撮影前に被写体画像を予め確認するためのスルー画の表示や、記録部５６によって所定の記録媒体に記録された静止画の表示を行うものである。
【００３４】
レリーズボタン５８は、全く押さない状態（オフ状態）、半押し状態及び全押し状態の３つの状態を有するスイッチである。
【００３５】
輝度判定部６０は、被写体の輝度（明るさ）を検出し、検出した輝度を所定の閾値と比較することにより被写体が低照度の状態か否かを判定するものである。
【００３６】
メイン制御部６２は、カメラ１の各部を統括制御するものである。
【００３７】
なお、メイン制御部６２によるＣＣＤ３２及び３６の制御の態様には各種ある。
【００３８】
第１に、被写体が低照度の状態と判定された場合、スルー画の表示時には可視光撮像用のＣＣＤ３２を停止させるとともに赤外光撮像用のＣＣＤ３６を動作させる一方で、静止画の撮影時には赤外光撮像用のＣＣＤ３６を停止させるとともに可視光撮像用のＣＣＤ３２を動作させる態様がある。この第１の態様では、スルー画の表示時には可視光撮像用のＣＣＤ３２が停止して赤外光撮像用のＣＣＤ３６が動作するので、静止画の撮影に用いる可視光撮像用のＣＣＤ３６が長時間連続動作することがない。
【００３９】
第２に、被写体が低照度の状態と判定された場合、スルー画の表示時には赤外光撮像用のＣＣＤ３６及び可視光撮像用のＣＣＤ３２を交互に繰り返し動作させる一方で、静止画の撮影時には赤外光撮像用のＣＣＤ３６を停止させるとともに可視光撮像用のＣＣＤ３２を動作させる態様がある。この第２の態様では、スルー画の表示時に可視光撮像用のＣＣＤ３２が間欠的に動作するので、静止画の撮影に用いる可視光撮像用のＣＣＤ３２が長時間連続動作することがない。また、第２の態様では、信号処理部５０は、被写体が低照度の状態と判定された場合のスルー画の表示時に、赤外光撮像用のＣＣＤ３６で撮像して得られた赤外線成分の輝度信号と可視光撮像用のＣＣＤ３２で撮像して得られた可視光成分の色差信号とを合成してスルー画を生成する。これにより、カラーのスルー画が表示されることになる。
【００４０】
また、メイン制御部６２は、被写体が低照度の状態と判定された場合、可視光撮像用のＣＣＤ３２の露光期間には可視光源として補助光源１６又はフラッシュ駆動部１４を発光させ、赤外光撮像用のＣＣＤ３６の露光期間には赤外光源２０を発光させる制御を行う。
【００４１】
光学ファインダ６４は、ユーザが直接的に撮影範囲や画角を視認するためのものである。例えば昼光下で静止画の撮影を行う場合には、被写体の照度が十分に高いので、赤外光撮像によるスルー画をモニタ５４に表示させなくても、ユーザは、光学ファインダ６４を覗くことにより撮影範囲や画角を確認することができる。
【００４２】
なお、本発明における赤外光に感度を有しない可視光撮像手段は、主として赤外光除去フィルタ３０及び第１のＣＣＤ３２によって構成されている。また、本発明における赤外光に感度を有する赤外光撮像手段は主として赤外光透過フィルタ３４及び第２のＣＣＤ３６によって構成されている。
【００４３】
以下、第１から第３の実施形態に分けて、図１のカメラ１におけるスルー画表示処理及び静止画撮影処理について説明する。
【００４４】
まず、第１実施形態における処理例について、図２（ａ）及び（ｂ）のフローチャートを用いて説明する。
【００４５】
図２（ａ）はスルー画表示の際にメイン制御部６２が行うＣＣＤ３２、３６の制御処理を示す。図２（ａ）において、まず、輝度判定部６０によって被写体の輝度（明るさ）を検出して所定の閾値と比較することにより、被写体が低照度の状態か否かを判定する（Ｓ１１）。被写体が低照度の場合には、可視光撮像用のＣＣＤ３２をオフ状態（停止状態）にして（Ｓ１２）、赤外光撮像用のＣＣＤ３６をオン状態（動作状態）にする（Ｓ１３）。ここで、赤外光源２０の発光を行う。したがって、赤外光撮像用のＣＣＤ３６で撮像して得られたスルー画がモニタ５６に表示される。一方で、被写体が低照度でない場合には、赤外光撮像用のＣＣＤ３６をオフ状態にして（Ｓ１４）、可視光撮像用のＣＣＤ３２をオン状態にする（Ｓ１５）。したがって、可視光撮像用のＣＣＤ３２で撮像して得られたスルー画がモニタ５６に表示される。なお、被写体が低照度でない場合には、ユーザは、スルー画表示の機能を起動しなくても光学ファインダ６４を覗くことにより撮影範囲や画角の確認をすることもでき、この場合には可視光撮像用のＣＣＤ３２はオフ状態を維持する。
【００４６】
図２（ｂ）は静止画の撮影の際にメイン制御部６２が行う撮影準備処理を示す。図２（ｂ）において、まず、ユーザがレリーズボタン５８を半押しすると（Ｓ２１）、赤外光撮像用のＣＣＤ３６をオフ状態にして（Ｓ２２）、可視光撮像用のＣＣＤ３２をＡＦモードでオン状態にする（Ｓ２３）。そして、輝度判定部６０によって被写体の輝度（明るさ）を検出して所定の閾値と比較することにより、被写体が低照度の状態か否かを判定する（Ｓ２４）。被写体が低照度の場合には、補助光源１６を発光させることにより被写体に対して可視光の補助光を照射する（Ｓ２５）。ここで、ＡＦ（自動焦点調整）処理が行われる。
【００４７】
そして、ユーザがレリーズボタン５８を全押しすると、静止画の撮影が行われて記録部５４により静止画が所定の記録媒体に記録される。ここで、被写体が低照度の場合には、フラッシュ１２を発光させて静止画を撮影するようになっている。
【００４８】
次に、第２実施形態における処理例について、図３を用いて説明する。
【００４９】
図３は、被写体が低照度の場合における赤外光源２０、補助光源１６、赤外光撮像用のＣＣＤ３６及び可視光撮像用のＣＣＤ３２のスルー画撮像開始からの状態とスルー画表示用のＹＣ信号の出力とについて示している。
【００５０】
図３において、被写体が低照度の場合、まず、赤外光源２０をオン状態（発光状態）、補助光源１６をオフ状態（発光停止状態）、赤外光撮像用のＣＣＤ３６を露光状態、可視光撮像用のＣＣＤ３２を露光停止状態にする。このように赤外光撮像用のＣＣＤ３６で露光している期間を以下「赤外光露光期間」と称する。赤外光露光期間に赤外光撮像用のＣＣＤ３６で露光して蓄積された電荷は、ＶＤ（垂直同期）信号に従って各フレームごとに読み出されて、赤外光成分の画像信号として信号処理部５０に入力される。
【００５１】
赤外光撮像用のＣＣＤ３６で４フレーム分の露光が終了すると、すなわち赤外光露光期間が終了すると、赤外光源２０をオフ状態（発光停止状態）、補助光源１６をオン状態（発光状態）、赤外光撮像用のＣＣＤ３６を露光停止状態、可視光撮像用のＣＣＤ３２を露光状態にする。このように可視光撮像用のＣＣＤ３２で露光している期間を以下「可視光露光期間」と称する。可視光露光期間に可視光撮像用のＣＣＤ３２で露光して蓄積された電荷は、ＶＤ信号に従って各フレームごとに読み出されて、可視光成分の画像信号として信号処理部５０に入力される。
【００５２】
可視光撮像用のＣＣＤ３２で４フレーム分の露光が終了すると、すなわち可視光露光期間が終了すると、再び、赤外光露光期間に戻り、以降、スルー画の表示を終了させるまで、可視光露光期間と赤外光露光期間とを等間隔で繰り返す。
【００５３】
そして、赤外光露光期間に赤外光撮像用のＣＣＤ３６で露光して得られた赤外光成分の輝度信号（Ｙ信号）と、可視光露光期間に可視光撮像用のＣＣＤ３２で露光して得られた可視光成分の色差信号（Ｃ信号）とが、信号処理部５０により合成されて、スルー画が生成される。
【００５４】
詳細には、図３に示す例の場合、赤外光成分の４フレームから求められたＹ信号値と可視光成分の４フレームから求められたＣ信号値とに基づいて、フレームメモリ５２を用いながら、８フレームからなるスルー画フレームを生成する。なお、８フレームの間はＹ信号及びＣ信号が同じ値で出力される。
【００５５】
次に、第３実施形態における処理例について、図４を用いて説明する。
【００５６】
図４は、被写体が低照度の場合における赤外光源２０、フラッシュ１２、赤外光撮像用のＣＣＤ３６及び可視光撮像用のＣＣＤ３２のスルー画撮像開始からの状態とスルー画表示用のＹＣ信号の出力とについて示している。
【００５７】
図４において、被写体が低照度の場合、まず、赤外光源２０をオン状態（発光状態）、フラッシュ１２をオフ状態（発光停止状態）、赤外光撮像用のＣＣＤ３６を露光状態、可視光撮像用のＣＣＤ３２を露光停止状態にする。このような赤外光露光期間に赤外光撮像用のＣＣＤ３６で露光して蓄積された電荷は、ＶＤ信号に従って各フレームごとに読み出されて、赤外光成分の画像信号として信号処理部５０に入力される。
【００５８】
赤外光撮像用のＣＣＤ３６で７フレーム分の露光が終了すると、すなわち赤外光露光期間が終了すると、赤外光源２０をオフ状態（発光停止状態）、フラッシュ１２をオン状態（発光状態）、赤外光撮像用のＣＣＤ３６を露光停止状態、可視光撮像用のＣＣＤ３２を露光状態にする。このような可視光露光期間に可視光撮像用のＣＣＤ３２で露光して蓄積された電荷は、ＶＤ信号に従って１フレーム分が読み出されて、可視光成分の画像信号として信号処理部５０に入力される。
【００５９】
可視光撮像用のＣＣＤ３２で１フレーム分の露光が終了すると、すなわち可視光露光期間が終了すると、再び、赤外光露光期間に戻り、以降、スルー画の表示を終了させるまで、可視光露光期間を赤外光露光期間の１／７にして、可視光露光期間と赤外光露光期間とを繰り返す。
【００６０】
そして、赤外光露光期間に赤外光撮像用のＣＣＤ３６で露光して得られた赤外光成分の輝度信号（Ｙ信号）と、可視光露光期間に可視光撮像用のＣＣＤ３２で露光して得られた可視光成分の色差信号（Ｃ信号）とが、信号処理部５０により合成されて、スルー画が生成される。
【００６１】
詳細には、図４に示す例の場合、赤外光成分の７フレームから求められたＹ信号値と可視光成分の１フレームから求められたＣ信号値とに基づいて、フレームメモリ５２を用いながら、８フレームからなるスルー画フレームを生成する。なお、８フレームの間はＹ信号及びＣ信号が同じ値で出力される。
【００６２】
また、可視光成分の１フレームから求められたＹ信号値に基づいて、ＡＥ・ＡＦ調整部２６によりＡＥ（自動露光調整）処理及びＡＦ（自動焦点調整）処理が行われる。
【００６３】
そして、ユーザがレリーズボタン５８を全押しすると、被写体が低照度の場合、フラッシュ１２が発光されて、可視光撮像用のＣＣＤ３２により静止画が撮像されて、この静止画が記録部５４により所定の記録媒体に記録される。
【００６４】
なお、被写体が低照度の場合の可視光露光期間に被写体に可視光を照射する可視光源としてフラッシュ１２を用いた場合を例に説明したが、補助光源１６を用いてもよい。この場合にも、静止画撮影時にはフラッシュ１２を用いて閃光を被写体に照射する。
【００６５】
次に、第３実施形態における他の処理例について、図５を用いて説明する。
【００６６】
図５において、スルー画の表示を終了するまで、可視光露光期間を赤外光露光期間の１／７にして可視光露光期間と赤外光露光期間とを繰り返す。赤外光露光期間に赤外光撮像用のＣＣＤ３６で露光して蓄積された電荷は、ＶＤ信号に従って各フレームごとに読み出されて、７フレーム分が赤外光成分の画像信号として信号処理部５０に入力される。可視光露光期間に可視光撮像用のＣＣＤ３２で露光して蓄積された電荷は、ＶＤ信号に従って読み出されて、１フレーム分が可視光成分の画像信号として信号処理部５０に入力される。そして、赤外光成分の輝度信号（Ｙ信号）と、可視光成分の色差信号（Ｃ信号）とが、信号処理部５０により合成されて、スルー画が生成される。
【００６７】
図５に示す例では、赤外光成分の７フレームからそれぞれ求められたＹ信号値（Ｙ１、Ｙ２、Ｙ３、Ｙ４、Ｙ５、Ｙ６、Ｙ７）と可視光成分の１フレームから求められたＣ信号値とに基づいて、フレームメモリ５２を用いながら、８フレームからなるスルー画フレームを生成する。ここで、スルー画フレームは、第１乃至第７フレームがそれぞれ赤外光成分の各フレームごとのＹ信号値（Ｙ１乃至Ｙ７）を有するとともに、第８フレームは第７フレームと同じＹ信号値であるＹ７を有する。
【図面の簡単な説明】
【００６８】
【図１】本発明を適用したカメラの要部ブロック図
【図２】第１実施形態におけるカメラの動作の例の説明に用いるフローチャート
【図３】第２実施形態におけるカメラの動作の例の説明に用いる説明図
【図４】第３実施形態におけるカメラの動作の例の説明に用いる説明図
【図５】第３実施形態におけるカメラの動作の他の例の説明に用いる説明図
【符号の説明】
【００６９】
１２…フラッシュ、１６…補助光源、２０…赤外光源、２４…光学系、２６…ＡＥ・ＡＦ調整部、２８…ハーフミラー、３０…赤外光除去フィルタ、３２…可視光撮像用のＣＣＤ（第１のＣＣＤ）、３４…赤外光透過フィルタ、３６…赤外光撮像用のＣＣＤ（第２のＣＣＤ）、３８…第２のＣＣＤ駆動部、４０…第２のＣＣＤ駆動部、５０…信号処理部、５２…フレームメモリ、５４…記録部、５６…モニタ、５８…レリーズボタン、６０…輝度判定部、６２…メイン制御部
【図１】
2006013884.tif 000003
【図２】
2006013884.tif 000004
【図３】
2006013884.tif 000005
【図４】
2006013884.tif 000006
【図５】
2006013884.tif 000007